(57)【要約】【課題】耐久性や駆動効率の向上等を容易に図ること。【解決手段】機体の進行方向に沿って、同機体を支持する走行輪と、同走行輪の直後方位置に配置して溝上げ作業を行うロータリ部と、同ロータリ部の直後方位置に配置してロータリ部により溝上げされた耕耘土を整形して栽培畦の法面を成形する法面成形部とを具備している。このようにして、ロータリ部により溝上げされた耕耘土を法面成形部により整形して栽培畦の法面を成形するようにして、振動を少なくし、機体やオペレータへの振動負荷を少なくした。【選択図】　　　　　図１
2004041031.tif 000002
【特許請求の範囲】
【請求項１】
機体の進行方向に沿って、同機体を支持する走行輪と、同走行輪の直後方位置に配置して溝上げ作業を行うロータリ部と、同ロータリ部の直後方位置に配置してロータリ部により溝上げされた耕耘土を整形して栽培畦の法面を成形する法面成形部とを装備し、
法面成形部は、円柱状ないしは逆円錘台形状に形成した左右一対の法面成形用回転ローラを具備することを特徴とする畦立て作業機。
【請求項２】
ロータリ部と法面成形部との間に畦整形部を配置して、ロータリ部により溝上げされた耕耘土を畦整形部により栽培畦に整形し、同栽培畦の左右法面を左右一対の法面成形用回転ローラにより成形するようにしたことを特徴とする請求項１記載の畦立て作業機。
【発明の詳細な説明】
【０００１】
【発明の属する技術分野】
本発明は、苺等を栽培する栽培畦を成形する畦立て作業機に関する。
【０００２】
【従来の技術】
従来、畦立て作業機の一形態として、例えば、実開昭６２−１３６１０２号公報に開示されたものがあり、同公報に開示された畦立て作業機は、溝上げ作業を行うロータリ部の直後方位置に、同ロータリ部により溝上げされた耕耘土を整形して栽培畦の法面を成形する法面成形部を設けている。
【０００３】
そして、法面成形部は、左右一対の培土板の内側に振動装置を配置して、同振動装置に振動リンクを介して両培土板を連動連結して、両培土板を側方から上方へ押し上げ振動させることにより、栽培畦の法面を成形するようにしている。
【０００４】
【発明が解決しようとする課題】
ところが、上記した畦立て作業機では、培土板を振動させる振動リンク等が衝撃によって損傷等され易いために、耐久性や駆動効率の向上等を容易に図れないという不具合がある。
【０００５】
そして、土の湿り具合によって栽培畦の法面の仕上がりが不良になったり、土の締め付けが不足する等の不具合がある。
【０００６】
また、機体の操向ハンドルを作業者が押して進行を補助して走行駆動力不足を補ったり、培土板の振動ピッチを小さくするのに走行速度を減速する必要があり、取り扱い操作性の向上並びに作業能率の向上等を容易に図れないという不具合がある。
【０００７】
【課題を解決するための手段】
そこで、本発明では、機体の進行方向に沿って、同機体を支持する走行輪と、同走行輪の直後方位置に配置して溝上げ作業を行うロータリ部と、同ロータリ部の直後方位置に配置してロータリ部により溝上げされた耕耘土を整形して栽培畦の法面を成形する法面成形部とを装備し、法面成形部は、円柱状ないしは逆円錘台形状に形成した左右一対の法面成形用回転ローラを具備することを特徴とする畦立て作業機を提供するものである。
【０００８】
また、本発明は、ロータリ部と法面成形部との間に畦整形部を配置して、ロータリ部により溝上げされた耕耘土を畦整形部により栽培畦に整形し、同栽培畦の左右法面を左右一対の法面成形用回転ローラにより成形するようにしたことにも特徴を有する。
【０００９】
【発明の実施の形態】
以下に、本発明の実施の形態について説明する。
【００１０】
すなわち、本発明に係る畦立て作業機は、機体の進行方向に沿って、同機体を支持する走行輪と、同走行輪の直後方位置に配置して溝上げ作業を行うロータリ部と、同ロータリ部の直後方位置に配置してロータリ部により溝上げされた耕耘土を整形して栽培畦の法面を成形する法面成形部とを装備しており、法面成形部は、円柱状ないしは逆円錘台形状に形成した左右一対の法面成形用回転ローラを具備している。
【００１１】
しかも、ロータリ部と法面成形部との間に畦整形部を配置して、ロータリ部により溝上げされた耕耘土を畦整形部により栽培畦に整形し、同栽培畦の左右法面を左右一対の法面成形用回転ローラにより成形するようにしている。
【００１２】
【実施例】
以下に、本発明の実施例を、図面を参照しながら説明する。
【００１３】
〔第１実施例〕
図１及び図２に示すＡは、本発明にかかる第１実施例としての畦立て作業機であり、同畦立て作業機Ａは、作業機本体１と、同作業機本体１の直後方位置に配置して溝上げ作業を行うロータリ部２と、同ロータリ部２の直後方位置に配置してロータリ部２により溝上げされた耕耘土を整形して栽培畦Ｕの法面Ｎを成形する法面成形部３とを具備している。
【００１４】
そして、作業機本体１は、上下方向に伸延するミッションケース４の下端部に左右方向に軸線を向けて貫通する車軸５を介して左右一対の走行輪６，６を取り付け、ミッションケース４の前面下部より前方へエンジン支持台７を延設し、同エンジン支持台７上にエンジン８を搭載して、同エンジン８とミッションケース４の左側上部との間に伝動ケース９を介設し、ミッションケース４の上端部にはハンドルステー１０の基端部を上下方向の軸線廻りに１８０度回動自在として、同ハンドルステー１０に取り付けた操向ハンドル１１を前方と後方とに方向転換自在としている。１２は燃料タンク、ａは機体の進行方向である。
【００１５】
ロータリ部２は、上下方向に伸延する伝動シャフトケース１５の下端部に、左右方向に軸線を向けたロータリ軸１６を交差状に連動連結し、同ロータリ軸１６に複数のロータリ爪１７を取り付ける一方、伝動シャフトケース１５の上端部にギヤケース１８を設けて、同ギヤケース１８の右側部と前記ミッションケース４の右側上部との間にロータリ伝動ケース１９を介設している。２０はロータリカバー、ｂはロータリ爪１７の回転方向である。
【００１６】
法面成形部３は、図３にも示すように、上下方向に軸線を向けた左右一対の縦シャフトケース２１，２１の下端部に、それぞれ逆円錘台形状に形成した法面成形用回転ローラ２２，２２を連動連設する一方、両縦シャフトケース２１，２１の上端部間に左右方向に軸線を向けた横シャフトケース２３を横架状に連動連設し、同横シャフトケース２３の中途部と前記ギヤケース１８の左側部との間に法面成形伝動ケース２４を介設している。ｃは、法面成形用回転ローラ２２の回転方向である。
【００１７】
ここで、法面成形用回転ローラ２２は、少なくとも法面Ｎを回転しながら鎮圧することができる形状であれば良く、例えば、円柱状に形成することもできる。
【００１８】
上記のように構成した畦立て作業機Ａにより栽培畦Ｕを畦立てする際には、作業者（図示せず）は、作業機本体１の前方に位置する圃場Ｇ上に立って、操向ハンドル１１を把持し、同状態にてエンジン８を駆動させることにより走行輪６，６とロータリ爪１７と法面成形用回転ローラ２２，２２を回動ないし回転させる。
【００１９】
そして、図１に示すように、機体を進行方向ａに移動させながらロータリ爪１７により溝上げされた耕耘土を左右一対の法面成形用回転ローラ２２，２２により整形して左右方向に隣接する栽培畦Ｕ，Ｕの内側方の法面Ｎ，Ｎを同時に成形することができるようにしている。
【００２０】
〔第２実施例〕
図４及び図５は、第２実施例としての畦立て作業機Ａを示しており、同畦立て作業機Ａは、前記した第１実施例としての畦立て作業機Ａと基本的構造を同じくしているが、ロータリ部２と法面成形部３との間に畦整形部３０を配置して、ロータリ部２により溝上げされた耕耘土を畦整形部３０により栽培畦Ｕに整形し、同栽培畦Ｕの左・右法面Ｎ，Ｎを左右一対の法面成形用回転ローラ２２，２２により成形するようにしている点において異なる。
【００２１】
そして、畦成形部３０は、ロータリ部２の伝動シャフトケース１５に畦成形体ステー３１を介して畦成形体３２を取り付けて構成しており、同畦成形体３２は、左・右法面成形片３３，３３と、両左・右法面成形片３３，３３の上端間に横架した栽培面成形片３４とから背面視門型に形成している。
【００２２】
このようにして、図６にも示すように、左右一対の法面成形用回転ローラ２２，２２により、栽培畦Ｕの左・右側面を狭圧状態にて鎮圧して、適正な締め付け状態にて良好（滑らかに、かつ、きれいに）な左・右法面Ｎ，Ｎに仕上げることができる。
【００２３】
【発明の効果】
（１）請求項１記載の本発明では、機体の進行方向に沿って、同機体を支持する走行輪と、同走行輪の直後方位置に配置して溝上げ作業を行うロータリ部と、同ロータリ部の直後方位置に配置してロータリ部により溝上げされた耕耘土を整形して栽培畦の法面を成形する法面成形部とを装備している。
【００２４】
このようにして、ロータリ部により溝上げされた耕耘土を法面成形部により整形して栽培畦の法面を成形するようにしているため、振動が少なく、機体やオペレータへの振動負荷が少ない。その結果、耐久性や駆動効率の向上等を容易に図ることができる。
【００２５】
しかも、土の性状等に関係なく、法面を適正な締め付け状態にて良好に（滑らかに、かつ、きれいに）仕上げることができる。
【００２６】
さらには、走行負荷を軽減することができ、かつ、高速走行作業を可能にして、取り扱い操作性の向上並びに畦立て作業能率の向上等を容易に図ることができる。
【００２７】
ここで、法面成形部は、円柱状ないしは逆円錘台形状に形成した左右一対の法面成形用回転ローラを具備している。
【００２８】
このようにして、円柱状ないしは逆円錘台形状に形成した左右一対の法面成形用回転ローラによりロータリ部により溝上げした耕耘土の締め付け力を確保することができて、土の性状等に関係なく、法面を適正な締め付け状態にて良好に（滑らかに、かつ、きれいに）仕上げることができる。
【００２９】
しかも、法面形成用回転ローラの駆動構造の耐久性の向上並びに作業速度の高速化等を容易に図ることができる。
【００３０】
（２）請求項２記載の本発明では、ロータリ部と法面成形部との間に畦整形部を配置して、ロータリ部により溝上げされた耕耘土を畦整形部により栽培畦に整形し、同栽培畦の左右法面を左右一対の法面成形用回転ローラにより成形するようにしている。
【００３１】
このようにして、左右一対の法面成形用回転ローラにより、栽培畦の左右側面を狭圧状態にて鎮圧して、良好な左右法面に仕上げることができる。
【図面の簡単な説明】
【図１】本発明にかかる第１実施例としての畦立て作業機の側面説明図。
【図２】同畦立て作業機の平面説明図。
【図３】法面成形部の背面説明図。
【図４】本発明にかかる第２実施例としての畦立て作業機の側面説明図。
【図５】同畦立て作業機の平面説明図。
【図６】法面成形部の背面説明図。
【符号の説明】
Ａ　畦立て作業機
１　作業機本体
２　ロータリ部
３　法面成形部
４　ミッションケース
５　車軸
６　走行輪
７　エンジン支持台
８　エンジン
【図１】
2004041031.tif 000003
【図２】
2004041031.tif 000004
【図３】
2004041031.tif 000005
【図４】
2004041031.tif 000006
【図５】
2004041031.tif 000007
【図６】
2004041031.tif 000008